(57)【要約】【課題】通信可能な方向の減少を抑止して、通信能力を確保することが可能である携帯無線通信装置を提供すること。【解決手段】外部装置との間で電磁波を媒介として無線通信を行うアンテナ１１０と、アンテナ１１０を介し、外部装置との間で所定の情報を無線通信する通信手段１２０と、通信手段１２０との間で所定の情報の入出力をする入出力手段１３０と、アンテナ１１０と通信手段１２０とを格納する筐体１４０と、筐体１４０に固定され、アンテナ１１０に沿うように設置される第１の導線１５０ａと、筐体１４０の外部に設置される第２の導線１５０ｂとを備え、筐体１４０が第１の導線１５０ａを固定する部分は、所定の誘電体で構成され、第１の導線１５０ａおよび第２の導線１５０ｂは、直列に接続され、通信手段１２０と入出力手段１３０とを電気的に接続するように構成される。【選択図】　図１
2004064280.tif 000002
【特許請求の範囲】
【請求項１】
外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記第１の導線が前記アンテナに沿うように固定され、前記第１の導線を前記筐体に固定する部分が所定の誘電体で構成されたことを特徴とする携帯無線通信装置。
【請求項２】
外部装置と電磁波を媒介として信号の送受信を行う複数のアンテナと、前記複数のアンテナを介し、前記外部装置と所定の情報を無線通信する通信手段と、前記複数のアンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記第１の導線が前記複数のアンテナのうちの何れか１つに沿うように固定され、前記第１の導線を前記筐体に固定する部分が所定の誘電体で構成されたことを特徴とする携帯無線通信装置。
【請求項３】
前記筐体には、溝が設けられ、前記第１の導線が前記アンテナに沿うように前記筐体に設けられた前記溝に固定されたことを特徴とする請求項１または請求項２に記載の携帯無線通信装置。
【請求項４】
前記第１の導線が前記アンテナに沿うように前記筐体に埋設されて固定されたことを特徴とする請求項１または請求項２に記載の携帯無線通信装置。
【請求項５】
前記アンテナは、モノポールアンテナよりなることを特徴とする請求項１乃至請求項４の何れかに記載の携帯無線通信装置。
【請求項６】
前記アンテナは、ダイポールアンテナよりなることを特徴とする請求項１乃至請求項４の何れかに記載の携帯無線通信装置。
【請求項７】
前記アンテナは、ループアンテナよりなることを特徴とする請求項１乃至請求項４の何れかに記載の携帯無線通信装置。
【発明の詳細な説明】
【０００１】
【発明の属する技術分野】
本発明は、人体等の物体に密着させて使用する携帯無線通信装置に関するものである。
【０００２】
【従来の技術】
従来、この種の携帯無線通信装置は、図５に示すようなものが知られている。
【０００３】
図５（ａ）に示す従来の携帯無線通信装置９００は、外部装置との間で電磁波を媒介として無線通信を行うアンテナ９１０、アンテナ９１０を介し、外部装置との間で所定の情報を無線通信する通信手段９２０、通信手段９２０との間で所定の情報の入出力をする入出力手段９３０、アンテナ９１０と通信手段９２０とを格納する筐体９４０、および通信手段９２０と入出力手段９３０とを電気的に接続する導線９５０によって構成される。
【０００４】
前述のように構成された、携帯無線通信装置９００において、外部装置によって無線出力された所定の情報がアンテナ９１０および通信手段９２０を介して入出力手段９３０に入力され、入出力手段９３０において出力される。また、入出力手段９３０に入力された所定の情報が通信手段９２０およびアンテナ９１０を介して外部装置に無線出力される。
【０００５】
なお、外部装置と携帯無線通信装置９００との間で通信される所定の情報は、例えば、音声情報であってもよいし、他の情報であってもよい。
外部装置と携帯無線通信装置９００との間で通信される所定の情報が音声情報である場合に、入出力手段９３０は、例えば、マイクロフォン付きのヘッドフォンである。
【０００６】
図５（ｂ）は、携帯無線通信装置９００の人体への装着例を示す図である。
図５（ｂ）において、入出力手段９３０が人体９６０の頭部に装着され、筐体９４０が人体９６０の腹部に装着されている。また、破線９９０は、携帯無線通信装置９００の通信可能な方向を示している。
【０００７】
【発明が解決しようとする課題】
しかしながら、このような従来の携帯無線通信装置では、アンテナが格納されている筐体が物体に密着したときに、物体と接触している方向では外部装置との間の通信能力が低下するために、通信可能な方向の減少を抑止して、通信能力を確保することができないという問題があった。
【０００８】
図５（ｂ）において、破線９９０で示される携帯無線通信装置９００の通信可能な方向は、人体９６０が無ければ筐体を中心に円を描くが、人体９６０と接触している方向では外部装置との間の通信能力が低下するために、半円状になっている。
【０００９】
本発明は、このような問題を解決するためになされたもので、通信可能な方向の減少を抑止して、通信能力を確保することが可能である携帯無線通信装置を提供するものである。
【００１０】
【課題を解決するための手段】
本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記第１の導線が前記アンテナに沿うように固定され、前記第１の導線を前記筐体に固定する部分が所定の誘電体よりなる構成を有している。この構成により、物体との接触によってアンテナの通信可能な方向が減少した場合でも、アンテナだけでなく、アンテナに沿うように設置された設置された第１の導線と直列に接続された第２の導線でも、外部装置によって送信された電気信号を受信するため、通信可能な方向の減少を抑止して、通信能力を確保することが可能である。
【００１１】
また、本発明の携帯無線通信装置は、外部装置と電磁波を媒介として信号の送受信を行う複数のアンテナと、前記複数のアンテナを介し、前記外部装置と所定の情報を無線通信する通信手段と、前記複数のアンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記第１の導線が前記複数のアンテナのうちの何れか１つに沿うように固定され、前記第１の導線を前記筐体に固定する部分が所定の誘電体よりなる構成を有している。この構成により、アンテナが筐体内に複数格納されているため、通信可能な方向を予め充分確保することが可能であり、さらに、物体との接触によってアンテナの通信可能な方向が減少した場合でも、アンテナだけでなく、アンテナに沿うように設置された設置された第１の導線と直列に接続された第２の導線でも、外部装置によって送信された電気信号を受信するため、通信可能な方向の減少を抑止して、通信能力を確保することが可能である。
【００１２】
また、本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記筐体には、溝が設けられ、前記第１の導線が前記アンテナに沿うように前記筐体に設けられた前記溝に固定され、前記第１の導線を前記筐体に固定する部分が所定の誘電体よりなる構成を有している。この構成により、物体との接触によってアンテナの通信可能な方向が減少した場合でも、アンテナだけでなく、アンテナに沿うように設置された設置された第１の導線と直列に接続された第２の導線でも、外部装置によって送信された電気信号を受信するため、通信可能な方向の減少を抑止して、通信能力を確保することが可能であり、第１の導線が筐体に設けられた溝に固定されているため、第１の導線とアンテナとの位置が変化することによって生じる通信能力の低下を防ぐことが可能である。
【００１３】
また、本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記第１の導線が前記アンテナに沿うように前記筐体に埋設されて固定され、前記第１の導線を前記筐体に固定する部分が所定の誘電体よりなる構成を有している。この構成により、物体との接触によってアンテナの通信可能な方向が減少した場合でも、アンテナだけでなく、アンテナに沿うように設置された設置された第１の導線と直列に接続された第２の導線でも、外部装置によって送信された電気信号を受信するため、通信可能な方向の減少を抑止して、通信能力を確保することが可能であり、第１の導線が筐体に埋め込まれて固定されているため、第１の導線とアンテナとの位置が変化することによって生じる通信能力の低下を防ぐことが可能である。
【００１４】
また、本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記アンテナは、モノポールアンテナであり、前記第１の導線が前記アンテナに沿うように固定され、前記第１の導線を前記筐体に固定する部分が所定の誘電体よりなる構成を有している。この構成により、前記アンテナがモノポールアンテナであるため、予め指向性のない通信能力を確保することが可能であり、さらに、物体との接触によってモノポールアンテナの通信可能な方向が減少した場合でも、モノポールアンテナだけでなく、モノポールアンテナに沿うように設置された設置された第１の導線と直列に接続された第２の導線でも、外部装置によって送信された電気信号を受信するため、通信可能な方向の減少を抑止して、通信能力を確保することが可能である。
【００１５】
また、本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記アンテナは、ダイポールアンテナであり、前記第１の導線が前記アンテナに沿うように固定され、前記第１の導線を前記筐体に固定する部分が所定の誘電体よりなる構成を有している。この構成により、前記アンテナがダイポールアンテナであるため、予め決まった方向に対する通信能力を確保することが可能であり、さらに、物体との接触によってダイポールアンテナの通信可能な方向が減少した場合でも、ダイポールアンテナだけでなく、ダイポールアンテナに沿うように設置された設置された第１の導線と直列に接続された第２の導線でも、外部装置によって送信された電気信号を受信するため、通信可能な方向の減少を抑止して、通信能力を確保することが可能である。
【００１６】
また、本発明の携帯無線通信装置は、外部装置と電磁波を媒介として信号の送受信を行うアンテナと、前記アンテナを介し、前記外部装置と所定の情報を無線通信する通信手段と、前記アンテナと前記通信手段とを格納する筐体と、前記通信手段と接続される第１の導線と、前記第１の導線に接続される第２の導線と、前記第２の導線に接続され、前記通信手段からの所定の情報を入出力する入出力手段とを備え、前記アンテナは、ループアンテナであり、前記第１の導線が前記アンテナに沿うように固定され、前記第１の導線を前記筐体に固定する部分が所定の誘電体よりなる構成を有している。この構成により、前記アンテナがループアンテナであるため、装置の構成を小さくすることが可能であり、また、予め決まった方向に対する通信能力を確保することが可能であり、さらに、物体との接触によってループアンテナの通信可能な方向が減少した場合でも、ループアンテナだけでなく、ループアンテナに沿うように設置された設置された第１の導線と直列に接続された第２の導線でも、外部装置によって送信された電気信号を受信するため、通信可能な方向の減少を抑止して、通信能力を確保することが可能である。
【００１７】
【発明の実施の形態】
以下、本発明の実施の形態について、図面を用いて説明する。
図１は、本発明の第１の実施の形態の携帯無線通信装置の構成の概略を示す図である。
携帯無線通信装置１００は、外部装置との間で電磁波を媒介として無線通信を行うアンテナ１１０、アンテナ１１０を介し、外部装置との間で所定の情報を無線通信する通信手段１２０、通信手段１２０との間で所定の情報の入出力をする入出力手段１３０、アンテナ１１０と通信手段１２０とを格納する筐体１４０、筐体１４０に固定され、アンテナ１１０に沿うように設置される第１の導線１５０ａ、および筐体１４０の外部に設置される第２の導線１５０ｂによって構成される。
【００１８】
アンテナ１１０は、外部装置によって携帯無線通信装置１００に送信された第１の電気信号を電磁波を媒介として受信し、受信した電気信号を通信手段１２０に出力するようになっている。
さらに、アンテナ１１０には、携帯無線通信装置１００から外部装置に出力する第２の電気信号が通信手段１２０によって入力されるようになっており、アンテナ１１０は、入力された第２の電気信号を外部装置に電磁波を介して出力するようになっている。
なお、本発明の第１の実施の形態の携帯無線通信装置において、アンテナ１１０は、モノポールアンテナである。
【００１９】
通信手段１２０には、アンテナ１１０からの第１の電気信号が入力されるようになっており、通信手段１２０は、入力された第１の電気信号を復調して第１の内部信号を生成し、生成した第１の内部信号を第１の導線１５０ａおよび第２の導線１５０ｂ経由で入出力手段１３０に出力するようになっている。
【００２０】
さらに、通信手段１２０には、入出力手段１３０によって第１の導線１５０ａおよび第２の導線１５０ｂ経由で出力された第２の内部信号が入力されるようになっており、通信手段１２０は、入力された第２の内部信号を変調して第２の電気信号を生成し、生成された第２の電気信号をアンテナ１１０に出力するようになっている。
【００２１】
なお、電気信号から内部信号への復調、および内部信号から電気信号への変調は、入出力手段１３０で行われてもよい。
ここで、内部信号とは、通信手段１２０と入出力手段１３０との間で入出力される電気信号のことである。一般的に、携帯無線通信装置内部で用いられる電気信号の規格は、無線通信に用いられる電気信号の規格と異なる。
【００２２】
入出力手段１３０には、通信手段１２０によって第１の導線１５０ａおよび第２の導線１５０ｂ経由で出力された第１の内部信号が入力されるようになっており、入出力手段１３０は、入力された第１の内部信号に基づいて、第１の内部信号に含まれる第１の所定の情報を外部に出力するようになっており、例えば、第１の内部信号に含まれる第１の所定の情報が音声情報である場合に、入出力手段１３０は、音声を拡声し、第１の内部信号に含まれる第１の所定の情報が画像情報および文字情報が含まれる場合に、入出力手段１３０は、画像および文字を表示するようになっている。
【００２３】
さらに、入出力手段１３０には、外部より第２の所定の情報が入力されるようになっており、入出力手段１３０は、入力された第２の所定の情報を第２の内部信号に変換し、変換された第２の内部信号を第１の導線１５０ａおよび第２の導線１５０ｂ経由で通信手段１２０に出力するようになっている。
【００２４】
なお、携帯無線通信装置１００と外部装置との間で通信される所定の情報は、例えば、音声情報、画像情報、または文字情報であってもよいし、入力し電気信号に変換可能な情報であれば他の情報であってもよい。
【００２５】
筐体１４０は、アンテナ１１０と通信手段１２０とを格納している。また、筐体１４０は、第１の導線１５０ａを固定して、アンテナ１１０に沿うように設置させるようになっている。なお、筐体１４０が、第１の導線１５０ａを固定する部分は、所定の誘電体によって構成される。ここで、所定の誘電体とは、例えば、プラスティック、またはセラミックスである。
【００２６】
また、第１の導線１５０ａおよび第２の導線１５０ｂは、直列に接続され、通信手段１２０と入出力手段１３０とを電気的に接続し、通信手段１２０と入出力手段１３０との間の信号の入出力を中継するようになっている。
【００２７】
図２は、本発明の第１の実施の形態の携帯無線通信装置におけるアンテナ１１０に沿って設置される第１の導線１５０ａの様子を示した図である。
図２（ａ）において、第１の導線１５０ａは、筐体１４０に密着するように固定され、アンテナ１１０に沿うように設置されている。また、図２（ｂ）において、第１の導線１５０ａは、筐体１４０に設けられた溝に固定されて、アンテナ１１０に沿うように設置されている。また、図２（ｃ）において、第１の導線１５０ａは、筐体１４０に埋め込まれるように固定されて、アンテナ１１０に沿うように設置されている。
ここで、本発明の第１の実施の形態の携帯無線通信装置において、第１の導線１５０ａの設置の形態は、図２に示されている形態の中のいずれの形態であってもよいし、筐体１４０に固定され、アンテナ１１０に沿うように設置されているのであれば、他の形態であってもよい。
【００２８】
なお、第１の導線１５０ａがアンテナ１１０に沿うように設置され、第１の導線１５０ａとアンテナ１１０とが筐体１４０を挟んでコンデンサを形成しているため、第１の導線１５０ａにおける電界の変化によりアンテナ１１０において電界の変化が誘発されることによって、第１の導線１５０ａからアンテナ１１０に電気信号が伝播されるようになっている。また、アンテナ１１０における電界の変化により、第１の導線１５０ａにおいて電界の変化が誘発され、第１の導線１５０ａに誘発された電気信号が第２の導線１５０ｂに伝播されるようになっている。
【００２９】
また、第２の導線１５０ｂにおいて、外部装置によって電磁波を媒介として放射された電気信号に基づいた高周波電流が誘起されることによって電気信号が受信され、受信された電気信号が第１の導線１５０ａに伝播されるようになっている。さらに、アンテナ１１０における電界変化によって第１の導線１５０ａに誘発された電気信号が伝播され、伝播された電気信号が電磁波を媒介として放射されるようになっている。
【００３０】
以下、本発明の第１の実施の形態の携帯無線通信装置における動作について説明する。
外部装置から送信された所定の情報を携帯無線通信装置１００が受信する場合、まず、外部装置によって第１の所定の情報が第１の電気信号に変換され、変換された第１の電気信号が電磁波を媒介として送信される。次に、送信された第１の電気信号がアンテナ１１０によって受信され、受信された第１の電気信号が通信手段１２０に入力され、通信手段１２０に入力された第１の電気信号が第１の内部信号に変換され、変換された第１の内部信号が第１の導線１５０ａおよび第２の導線１５０ｂ経由で入出力手段１３０に入力され、入出力手段１３０において入力された第１の内部信号に含まれる第１の所定の情報が検出され、検出された第１の所定の情報が外部に出力される。
【００３１】
一方、外部装置によって電磁波を媒介として送信された第１の電気信号が第２の導線１５０ｂにおいても受信され、第２の導線１５０ｂで受信された第１の電気信号が第１の導線１５０ａ、アンテナ１１０経由で通信手段１２０に入力され、入力された第１の電気信号が通信手段１２０によって第１の内部信号に変換され、変換された第１の内部信号が導線１５０ａおよび第２の導線１５０ｂ経由で入出力手段１３０に入力され、入出力手段１３０において入力された第１の内部信号に含まれる第１の所定の情報が検出され、検出された第１の所定の情報が外部に出力される。
【００３２】
さらに、携帯無線通信装置１００から外部装置への所定の情報の送信を行う場合、まず、外部より入出力手段１３０に第２の所定の情報が入力され、入力された第２の所定の情報が入出力手段１３０によって第２の内部信号に変換され、変換され第２の内部信号が第１の導線１５０ａおよび第２の導線１５０ｂ経由で通信手段１２０に入力され、通信手段１２０に入力された第２の内部信号が第２の電気信号に変換され、変換された第２の電気信号がアンテナ１１０経由で電磁波を媒介として外部装置に送信され、送信された第２の電気信号が外部装置によって受信される。
【００３３】
一方、通信手段１２０によって変換された第２の電気信号がアンテナ１１０、第１の導線１５０ａ経由で第２の導線１５０ｂに伝播され、第２の導線１５０ｂに伝播された第２の電気信号が電磁波を介して外部装置に送信される。
【００３４】
図３は、本発明の第１の実施の形態の携帯無線通信装置の人体への装着例を示す図である。
図３（ａ）において、入出力手段１３０が人体１６０の頭部に装着され、筐体１４０が人体１６０の腹部に装着されており、第２の導線１５０ｂが、入出力手段１３０と筐体１４０との間に設置されている。
【００３５】
また、図３（ｂ）において、アンテナ１１０を経由した、外部装置と携帯無線通信装置１００とが通信可能な方向は、第１の破線１９０のように示され、さらに、第２の導線１５０ｂを経由した外部装置と携帯無線通信装置１００とが通信可能な方向は、第２の破線１９５のように示される。
【００３６】
なお、本発明の第１の実施の形態の携帯無線通信装置において、アンテナ１１０は、モノポールアンテナであったが、ダイポールアンテナ、ループアンテナなどでもよく、導体アンテナであれば、他のアンテナによって実現されてもよい。
図４は、本発明の第１の実施の形態の携帯無線通信装置の変形例を示した図である。
図４（ａ）の携帯無線通信装置２００は、ダイポールアンテナを採用したものであり、図４（ｂ）の携帯無線通信装置３００は、ループアンテナを採用したものであり、いずれにおいても、第１の導線１５０ａは、アンテナ１１０に沿って設置されている。
【００３７】
また、本発明の第１の実施の形態の携帯無線通信装置は、アンテナ１１０を筐体内に複数格納し、アンテナ１１０の通信可能な方向を予め増加させておいてもよい。ここで、アンテナ１１０が筐体内に複数格納されている場合に、第１の導線１５０ａは、格納されている複数のアンテナ１１０のうち何れかのアンテナに沿って設置されていればよい。
【００３８】
以上説明したように、本発明の第１の実施の形態の携帯無線通信装置は、物体との接触によってアンテナの通信可能な方向が減少した場合でも、アンテナだけでなく、アンテナに沿うように設置された設置された第１の導線と直列に接続された第２の導線でも、外部装置によって送信された電気信号を受信するため、通信可能な方向の減少を抑止して、通信能力を確保することが可能である。
【００３９】
【発明の効果】
以上説明したように、本発明は、通信可能な方向の減少を抑止して、通信可能な方向の減少を抑止して、通信能力を確保することが可能である携帯無線通信装置を提供することができるものである。
【図面の簡単な説明】
【図１】本発明の第１の実施の形態の携帯無線通信装置の構成の概略を示す図
【図２】本発明の第１の実施の形態の携帯無線通信装置におけるアンテナに沿って設置される第１の導線の様子を示した図
【図３】本発明の第１の実施の形態の携帯無線通信装置の人体への装着例を示す図
【図４】本発明の第１の実施の形態の携帯無線通信装置の変形例を示した図
【図５】従来の携帯無線通信装置の概略のブロック構成を示す図
【符号の説明】
１００、２００、３００、９００　携帯無線通信装置
１１０、９１０　アンテナ
１２０、９２０　通信手段
１３０、９３０　入出力手段
１４０、９４０　筐体
１５０ａ　第１の導線
１５０ｂ　第２の導線
１６０、９６０　人体
１９０　第１の破線
１９５　第２の破線
９５０　導線
９９０　破線
【図１】
2004064280.tif 000003
【図２】
2004064280.tif 000004
【図３】
2004064280.tif 000005
【図４】
2004064280.tif 000006
【図５】
2004064280.tif 000007